(57)【要約】【課題】  オプション機器の数を増加しても信号線数やコネクタのピン数を増加させることなく、コストを低減し得る画像形成装置を提供する。【解決手段】  各オプション機器の周波数と段数との関係を予め記憶しておき、画像形成装置１からアドレスを割付けるための２ｋＨｚのクロック信号を給紙ユニット２ａに出力し、そのクロック信号の周波数を判別してメモリ２１ａに記憶されている周波数と一致していることを判別すると段数を特定し、判別した周波数をアドレス情報としてメモリ２１ａに記憶し、２ｋＨｚのクロック信号を分周回路２３ａで１ｋＨｚのクロック信号に分周して２段目の給紙ユニット２ｂに出力する。２段目の給紙ユニット２ｂは１ｋＨｚのクロック信号の周波数をアドレス情報として割付ける。【選択図】      図２
2005239393.tif 000002
【特許請求の範囲】
【請求項１】
周波数信号を入力して複数のオプション機器の装着位置を特定するためのアドレスを割当てる画像形成装置であって、
前記複数のオプション機器は、
入力された周波数信号の周波数を判別する周波数判別手段と、
前記複数のオプション機器におけるそれぞれの装着位置に対応して周波数に関連する情報を予め記憶するとともに、アドレス情報を記憶する領域を含む記憶手段と、
前記周波数判別手段によって判別された周波数に対応して前記記憶手段に記憶されている装着位置を判別し、前記判別した装着位置に対応する周波数を前記記憶手段の記憶領域にアドレス情報として記憶させる書込み手段と、
前記周波数信号を異なる周波数信号に変換する周波数変換手段と、
前記書込み手段によって前記アドレス情報が書込まれたことに応じて、前記周波数変換手段によって変換された周波数信号を次段のオプション機器に出力するための出力設定手段とを備えた、画像形成装置。
【請求項２】
さらに、前記装着位置を判別したことに応じて、アドレス設定完了信号を前記画像形成装置に出力する信号出力手段を含み、
前記画像形成装置は、前記複数のオプション機器におけるそれぞれの装着位置に対応して周波数に関連する情報を予め記憶していて、所定の周波数信号を出力して前記周波数判別手段に与え、前記信号出力手段からアドレス設定完了信号が与えられたことに応じて、当該周波数に対応して当該オプション機器の装着位置を判別する、請求項１に記載の画像形成装置。
【請求項３】
前記複数のオプション機器は、縦続接続されていて、初段のオプション機器には前記画像形成装置から周波数信号が入力され、次段のオプション機器には初段のオプション機器から前記変換された周波数信号が入力される、請求項１または２に記載の画像形成装置。
【請求項４】
前記複数のオプション機器は、それぞれが積層して配置されていて、
前記周波数に関連する情報は、前記装着位置として前記積層された段に対応して前記記憶手段に記憶されている、請求項１から３のいずれかに記載の画像形成装置。
【請求項５】
前記周波数に関連する情報は、対応するオプション機器に予め割当てられた周波数である、請求項１から４のいずれかに記載の画像形成装置。
【請求項６】
前記周波数に関連する情報は、当該オプション機器に予め割当てられている周波数と、前記入力された周波数信号の周波数との比である、請求項１から５のいずれかに記載の画像形成装置。
【請求項７】
前記予め割当てられている周波数と前記入力された周波数信号の周波数との比は、所定の分周比であって、
前記周波数変換手段は、前記入力された周波数信号を前記所定の分周比で分周する分周手段である、請求項６に記載の画像形成装置。
【請求項８】
前記予め割当てられている周波数と前記入力された周波数信号の周波数との比は、所定の逓倍比であって、
前記周波数変換手段は、前記入力された周波数信号を前記所定の逓倍比で逓倍する逓倍手段である、請求項６に記載の画像形成装置。
【請求項９】
前記各オプション機器は、前記アドレス情報が割当てられた後、前記記憶手段に記憶されているアドレス情報に関連する周波数信号が入力されたことを判別したことに応じて、当該オプション機器と前記画像形成装置との間でデータ通信を行う通信手段を含む、請求項１から８のいずれかに記載の画像形成装置。
【発明の詳細な説明】
【技術分野】
【０００１】
この発明は画像形成装置に関し、特に、複数の給紙ユニットなどのオプション機器を装着可能な画像形成装置に関する。
【背景技術】
【０００２】
複写機，プリンタおよびファクシミリなどの画像形成装置は、給紙ユニットなどのオプション機器を複数台装着可能になっている。例えば給紙ユニットは画像形成装置の装着部に積み重ねて装着され、それぞれには異なる大きさの用紙が収納されていて、上段，下段の給紙ユニットを自在に交換可能にされている。
【０００３】
画像形成装置本体側では、給紙ユニットが交換されても所望の用紙を給紙できるように制御可能にされている。このような制御を行うために、各給紙ユニットにはアドレスが割り当てられており、画像形成装置本体側と各給紙ユニットは例えば３ビットの信号線で接続されている。そして、電源投入時に「００１」のアドレス信号が出力されると、１段目の給紙ユニットにそのアドレスが割当てられ、次に、「０１０」のアドレス信号が出力されて、２段目の給紙ユニットにそのアドレスが割当てられる。以下、順次アドレスが更新されて３段目以下の給紙ユニットにアドレスが割当てられる。
【０００４】
このような画像形成装置については、特開２０００−１７７８６７号公報（特許文献１）に記載されている。
【特許文献１】特開２０００−１７７８６７号公報
【発明の開示】
【発明が解決しようとする課題】
【０００５】
上記特許文献１に記載された画像形成装置では、給紙ユニットなどのオプション機器の台数が増えれば、信号線を増やす必要があるが、信号線が増えるとノイズの混入する割合が増加するという問題がある。しかも、給紙ユニットの着脱を容易にするために、信号線を接続するためのコネクタとして高価なものを使用しており、信号線数の増加により、コネクタのピン数も増えるため、コネクタの価格が高くなるのでコスト的に不利になってしまう。
【０００６】
そこで、この発明は、オプション機器の数を増加しても信号線数やコネクタのピン数を増加させることなく、コストを低減し得る画像形成装置を提供することである。
【課題を解決するための手段】
【０００７】
この発明は、周波数信号を入力して複数のオプション機器を特定するためのアドレスを割当てる画像形成装置であって、複数のオプション機器は、入力された周波数信号の周波数を判別する周波数判別手段と、複数のオプション機器におけるそれぞれの装着位置に対応して周波数に関連する情報を予め記憶するとともに、アドレス情報を記憶する領域を含む記憶手段と、周波数判別手段によって判別された周波数に対応して記憶手段に記憶されている装着位置を判別し、判別した装着位置に対応する周波数を記憶手段の記憶領域にアドレス情報として記憶させる書込み段と、周波数信号を異なる周波数信号に変換する周波数変換手段と、書込み手段によってアドレス情報が書込まれたことに応じて、周波数変換手段によって変換された周波数信号を次段のオプション機器に出力するための出力設定手段とを備える。
【０００８】
好ましくは、装着位置を判別したことに応じて、アドレス設定完了信号を画像形成装置に出力する信号出力手段を含み、画像形成装置は複数のオプション機器におけるそれぞれの装着位置に対応して周波数に関連する情報を予め記憶していて、所定の周波数信号を出力して周波数判別手段に与え、信号出力手段からアドレス設定完了信号が与えられたことに応じて、当該周波数に対応して当該オプション機器の装着位置を判別する。
【０００９】
好ましくは、複数のオプション機器は、縦続接続されていて、次段のオプション機器には初段のオプション機器から変換された周波数信号が入力される。
【００１０】
好ましくは、複数のオプション機器は、それぞれが積層して配置されていて、周波数に関連する情報は装着位置として積層された段に対応して記憶手段に記憶されている。
【００１１】
好ましくは、周波数に関連する情報は、対応するオプション機器に予め割当てられた周波数である。
【００１２】
好ましくは、周波数に関連する情報は、当該オプション機器に予め割当てられている周波数と、入力された周波数信号の周波数との比である。
【００１３】
好ましくは、予め割当てられている周波数と入力された周波数信号の周波数との比は、所定の分周比であって、周波数変換手段は入力された周波数信号を所定の分周比で分周する分周手段である。
【００１４】
好ましくは、予め割当てられている周波数と入力された周波数信号の周波数との比は、所定の逓倍比であって、周波数変換手段は入力された周波数信号を所定の逓倍比で逓倍する逓倍手段である。
【００１５】
好ましくは、各オプション機器はアドレス情報が割当てられた後、記憶手段に記憶されているアドレス情報に関連する周波数信号が入力されたことを判別したことに応じて、当該オプション機器と画像形成装置との間でデータ通信を行う通信手段を含む。
【発明の効果】
【００１６】
以上のように、この発明によれば、画像形成装置からアドレス情報を割付けるために各オプション機器の装着位置と周波数との関係を予め記憶しておき、周波数信号をオプション機器に出力し、各オプション機器は周波数信号の周波数を判別して予め記憶されている周波数と一致していることを判別するとオプション機器の装着位置を特定し、その判別した周波数をアドレス情報として記憶し、周波数信号を異なる周波数信号に変換して次段のオプション機器に出力するようにしたので、異なる周波数信号を画像形成装置本体から出力することで、各オプション機器を個別に指定することができる。したがって、オプション機器の段数を増やしても、１本の周波数信号ラインで多数のオプション機器のアドレスを指定することが可能になるので、信号線数やコネクタのピン数を増加させることなく、コストを低減できる。
【発明を実施するための最良の形態】
【００１７】
図１はこの発明の一実施形態における画像形成装置の本体１と給紙ユニット２ａ，２ｂ，２ｃの概略の構成を示す図である。
【００１８】
画像形成装置の本体１には、例えば上から順に、オプション機器としての給紙ユニット２ａ，２ｂ，２ｃが装着位置として３段に積層されて装着されており、電源投入時に、本体１から１段目の給紙ユニット２ａ，２段目の給紙ユニット２ｂ，３段目の給紙ユニット２ｃの順にアドレスが設定される。アドレスが設定された後、本体１と各給紙ユニット２ａ,２ｂ，２ｃとの間でアドレスを指定して必要なデータがシリアル通信される。
【００１９】
なお、オプション機器として給紙ユニット２ａ,２ｂ，２ｃ以外の機器に適用してもよく、アドレスの設定は、各給紙ユニット２ａ，２ｂ，２ｃに対して下段から順に設定してもよい。
【００２０】
図２はこの発明の一実施形態における画像処理装置によって給紙ユニットにアドレス割付けを行うとともに本体との間で通信を行う制御回路の回路図であり、図３は各給紙ユニットの段数と割当てられた周波数との関係を示す図である。図２では、画像形成装置の本体１と、２台のオプション機器としての１段目，２段目の給紙ユニット２ａ，２ｂを示しているが、給紙ユニットはそれ以上設けられていてもよい。
【００２１】
給紙ユニット２ａ，２ｂはクロック信号ラインが縦続接続されており、本体１と１段目の給紙ユニット２ａにはクロック信号ライン３０が接続されている。アドレスを割付けるために、図３（ａ）に示すように各段の給紙ユニット２ａ，２ｂには周波数と段数との関係がアドレスを割付けるためのデータとして記憶されている。すなわち、２ｋＨｚであれば１段目に装着されており，１ｋＨｚであれば２段目に装着されており，５００Ｈｚであれば３段目に装着されているというように予め割当てられている。なお、周波数に代えて図３（ｂ）に示す分周比１，２，４を割当ててもよい。
【００２２】
本体１には各給紙ユニットにアドレスを割付けたり、シリアル通信を行うためのＣＰＵ１０が設けられており、ＣＰＵ１０にはメモリ１１が内蔵されている。メモリ１１には図３（ａ）に示した各給紙ユニット２ａ，２ｂの周波数と割当てられた段数との関係が記憶されている。
【００２３】
本体１と給紙ユニット２ａ，２ｂとは、さらにＳＩ信号ライン３１と、ＳＯ信号ライン３２と、ＳＣＬＫ信号ライン３３と、Ｒｅａｄｙ信号ライン３４とによって接続されている。ＳＩ信号ライン３１には、本体１から給紙ユニット２ａ，２ｂに対して、アドレスを割付けるためのアドレス設定コマンド信号と、すべてのアドレスの割付けを終了したことを示す終了コマンド信号とが出力される。
【００２４】
ＳＯ信号ライン３２には、各給紙ユニット２ａ，２ｂから本体１に対してデータ信号が出力され、ＳＣＬＫライン３３には、本体１側から給紙ユニット２ａ，２ｂに対して、通信同期信号が出力される。Ｒｅａｄｙ信号ライン３４には、各給紙ユニット２ａ，２ｂから本体１に対してアドレス割付けが終了したことを示すＲｅａｄｙ信号が出力される。さらに、１段目の給紙ユニット２ａのクロック信号ライン３０には、本体１からアドレス割付けのために２ｋＨｚのクロック信号が出力される。
【００２５】
給紙ユニット２ａは、メモリ２１ａを内蔵しているＣＰＵ２２ａと、周波数変換手段としての分周回路２３ａと、ＮＡＮＤゲート２４ａと、ＡＮＤゲート２５ａと、ＯＲゲート２６ａと、ＡＮＤゲート２７ａと、バッファ２８ａ，２９ａとを含む。本体１から出力された２ｋＨｚのクロック信号は分周回路２３ａに与えられるとともに、ＣＰＵ２２ａに与えられる。分周回路２３ａは２ｋＨｚのクロック信号を分周して、１ｋＨｚのクロック信号を出力する。
【００２６】
メモリ２１ａには図３（ａ）に示したアドレスを割付けるための周波数と段数との関係が記憶されている。そして、ＣＰＵ２２ａは、クロック信号の周波数を検出し、検出した周波数をメモリ２１ａの図示しない記憶領域に記憶することでアドレスの割り付けを行う。すなわち、ＣＰＵ２２ａはクロック信号の周波数が例えば２ｋＨｚであればその給紙ユニット２ａが１段目に装着されており、１ｋＨｚであれば２段目に装着されているとして、それぞれ判別した周波数をアドレス情報として割付ける。
【００２７】
ＣＫＳＥＬ信号は、下段へのクロック信号を分周無し／分周有りを設定するための信号であって、ＣＰＵ２２ａからＮＡＮＤゲート２４ａの一方入力端とＡＮＤゲート２５ａの一方入力端とに与えられる。ＮＡＮＤゲート２４ａの他方入力端には分周回路２３ａによって１ｋＨｚに分周されたクロック信号が与えられる。ＡＮＤゲート２５ａの他方入力端には、２ｋＨｚのクロック信号が与えられる。
【００２８】
ＮＡＮＤゲート２４ａの出力とＡＮＤゲート２５ａの出力はＯＲゲート２６ａを介してＡＮＤゲート２７ａの一方入力端に与えられる。ＡＮＤゲート２７ａの他方入力端にはＣＰＵ２２ａから下段への出力の可否を設定するためのＧＡＴＥ信号が与えられる。
【００２９】
ＣＰＵ２２ａのＳＩ入力端はＳＩ信号ライン３１に接続され、ＳＯ出力端はバッファ２８ａを介してＳＯライン３２に接続され、ＳＣＬＫ入力端はＳＣＬＫライン３３に接続され、Ｒｅａｄｙ出力端はバッファ２９ａを介してＲｅａｄｙ信号ライン３４に接続される。
【００３０】
２段目の給紙ユニット２ｂは給紙ユニット２ａと同様にして構成され、メモリ２１ｂを内蔵しているＣＰＵ２２ｂと、分周回路２３ｂと、ＮＡＮＤゲート２４ｂと、ＡＮＤゲート２５ｂと、ＯＲゲート２６ｂと、ＡＮＤゲート２７ｂと、バッファ２８ｂ，２９ｂとを含む。メモリ２１ｂには、図３（ａ）に示したアドレスを割付けるための周波数と段数との関係が記憶されている。そして、給紙ユニット２ｂには、１段目の給紙ユニット２ａから１ｋＨｚのクロック信号が与えられており、分周回路２３ｂは１ｋＨｚのクロック信号を分周して５００Ｈｚのクロック信号を出力する。この５００Ｈｚのクロック信号は３段目の給紙ユニットに供給される。
【００３１】
図４はこの発明の一実施形態の動作を説明するためのフローチャートであり、（ａ）は本体１の動作を示し、（ｂ）は各給紙ユニット２ａ，２ｂの動作を示す。
【００３２】
次に、図４に示したフローチャートを参照しながら図２に示した各給紙ユニット２ａ，２ｂにアドレスを割付ける動作について説明する。本体１のＣＰＵ１０は、図４（ａ）に示すステップ（図示ではＳＰと略称する）ＳＰ１において２ｋＨｚのクロック信号を給紙ユニット２ａのクロック信号ライン３０に出力するとともに、ステップＳＰ２において、アドレスを割付けるためのアドレス設定コマンド信号をＳＩ信号ライン３１に出力する。アドレス設定コマンド信号は各給紙ユニット２ａ，２ｂに共通に入力される。
【００３３】
一方、各給紙ユニット２ａ，２ｂのＣＰＵ２２ａ，２２ｂは、図４（ｂ）に示すＳＰ１１において、対応するＣＫＳＥＬ信号を「Ｈ」レベルに設定して、クロック信号の分周を有りにするとともに、ＧＡＴＥ信号を「Ｌ」レベルに設定して下段への出力を不可にする。このため、２段目のＣＰＵ２２ｂにはクロック信号が入力されないので２段目の給紙ユニットに対してアドレス割付け動作が行なわれず、１段目のＣＰＵ２２ａのみがアドレス割付け動作を行う。
【００３４】
すなわち、ＣＰＵ２２ａは、ステップＳＰ１２においてアドレス設定コマンド信号が入力されたか否かを判別し、アドレス設定コマンド信号が入力されたことを判別すると、ステップＳＰ１３においてクロック信号を取り込み、ステップＳＰ１３においてクロック信号の周波数を判別し、ステップＳＰ１４において、判別した周波数が２ｋＨｚであれば図３（ａ）の対応関係から、給紙ユニット２ａが１段目に装着されているものと判断し、２ｋＨｚの周波数をアドレス情報として割付けてメモリ２１ａの所定の領域に記憶し、ステップＳＰ１５に進む。
【００３５】
なお、クロック信号の周波数がメモリ２１ａに記憶している周波数と一致していないことを判別したときには、ステップＳＰ１２に戻る。
【００３６】
ステップＳＰ１５において、分周回路２３ａは２ｋＨｚのクロック信号を分周して１ｋＨｚのクロック信号を出力し、ＮＡＮＤゲート２４ａの他方入力端に与える。電源投入時にＣＫＳＥＬ信号が「Ｈ」レベルに設定されているので、ＮＡＮＤゲート２４ａが開かれており、１ｋＨｚのクロック信号がＯＲゲート２６ａを介してＡＮＤゲート２７ａの一方入力端に与えられる。しかし、ＧＡＴＥ信号が「Ｌ」レベルであるため、１ｋＨｚのクロック信号は２段目のＣＰＵ２２ｂには出力されない。
【００３７】
ＣＰＵ２２ａは、アドレスを割付けると、ステップＳＰ１６においてＲｅａｄｙ信号を「Ｈ」レベルにして、バッファ２９ａおよびＲｅａｄｙ信号ライン１４を介して本体１に出力するとともに、ステップＳＰ１７においてＧＡＴＥ信号を「Ｈ」レベルに設定することでＡＮＤゲート２７ａを開いて、１ｋＨｚのクロック信号を２段目のＣＰＵ２２ｂに出力する。
【００３８】
本体１のＣＰＵ１０は、ステップＳＰ３においてＲｅａｄｙ信号が与えられたことを判別すると、ステップＳＰ４において２ｋＨｚの周波数が１段目の給紙ユニットに対応していることを認識し、ステップＳＰ２に戻って、アドレス設定コマンド信号をＳＩ信号ライン３１に出力する。
【００３９】
２段目の給紙ユニット２ｂのＣＰＵ２２ｂは、１段目の給紙ユニット２ａと同様に図４（ｂ）に示すフローチャートに従ってステップＳＰ１２以降の処理を行う。このとき２段目のＣＰＵ２２ｂには、１段目の給紙ユニット２ａから１ｋＨｚのクロック信号が与えられているが、ＧＡＴＥ信号を「Ｌ」レベルにしているため、２段目のＡＮＤゲート２７ｂが閉じられており、図示しない３段目の給紙ユニットには５００Ｈｚのクロック信号が与えられていない。
【００４０】
２段目のＣＰＵ２２ｂは、１段目のアドレスの割付けと同様の動作を行って、クロック信号の周波数を判別し、判別した周波数が１ｋＨｚであれば、給紙ユニット２ｂが２段目に装着されているものと判断し、１ｋＨｚの周波数をアドレス情報としてメモリ２１ｂに記憶する。分周回路２３ｂは１ｋＨｚのクロック信号を分周して５００Ｈｚのクロック信号を出力し、ＣＰＵ２２ｂはＲｅａｄｙ信号を出力した後、ＧＡＴＥ信号を「Ｈ」レベルにすることにより、５００Ｈｚのクロック信号を次段に出力する。
【００４１】
上述の動作を繰り返すことにより、３段目以降の給紙ユニットに対しても判別した周波数がアドレス情報として割付けられる。本体１のＣＰＵ１０はアドレス設定コマンド信号を出力した後、ステップＳＰ３において各段の給紙ユニット２ａ，２ｂのいずれからもＲｅａｄｙ信号がＲｅａｄｙ信号ライン３４に出力されなかったことを判別し、ステップＳＰ５において所定時間経過したことを判別したときは、全ての給紙ユニット２ａ，２ｂへのアドレスの割付けが終了したものと判断し、ステップＳＰ６において終了コマンド信号をＳＩ信号ライン３１に出力する。なお、所定時間を経過していなければステップＳＰ３に戻る。
【００４２】
各給紙ユニット２ａ，２ｂはステップＳＰ１８において終了コマンド信号が入力されたことを判別すると、ステップＳＰ１９においてＣＫＳＥＬ信号を「Ｌ」レベルに設定して分周なしにする。この時点で、ＣＰＵ１０は本体１に接続されている給紙ユニット２ａ，２ｂを把握し、以後それに見合った制御を行う。
【００４３】
すなわち、上述のごとくしてアドレスが割付けられた後、本体１と各給紙ユニット２ａ，２ｂとの間で通信を行うときは、例えば通信手段としてのＣＰＵ２２ａ，２２ｂは、給紙ユニット２ａ，２ｂのＣＫＳＥＬ信号とＧＡＴＥ信号とを「Ｈ」レベルに設定する。そして、例えば本体１と給紙ユニット２ｂとの間でシリアル通信をおこなうときには、本体１から１ｋＨｚのクロック信号が出力される。
【００４４】
１段目の給紙ユニット２ａは、ＣＰＵ２２ａが１ｋＨｚのクロック信号とメモリ２１ａにアドレス情報として記憶されている２ｋＨｚの周波数とを比較して、不一致であることを判別すると、給紙ユニット２ａが指定されていないと判別する。このとき、給紙ユニット２ａのＣＫＳＥＬ信号とＧＡＴＥ信号はともに「Ｈ」レベルに設定されているので、１ｋＨｚのクロック信号はＡＮＤゲート２５ａ，ＯＲゲート２６ａおよびＡＮＤゲート２７ａを介して、２段目の給紙ユニット２ｂに出力される。
【００４５】
２段目の給紙ユニット２ｂでは、ＣＰＵ２２ｂが入力された１ｋＨｚのクロック信号の周波数を検出し、メモリ２１ｂにアドレス情報として記憶されている１ｋＨｚの周波数とを比較して、一致していることを判別すると、２段目の給紙ユニット２ｂのアドレスが指定されたものと判別して、以降本体１のＣＰＵ１０と給紙ユニット２ｂのＣＰＵ２２ｂとの間でＳＯライン３２とＳＣＬＫライン３３を用いてシリアル通信が行われる。
【００４６】
したがって、この発明の実施形態では、クロック信号の周波数を判別し、その判別した周波数と段数との対応関係から各給紙ユニット２ａ，２ｂが装着されている段を判別し、判別した周波数をアドレス情報として割付けるようにしたので、給紙ユニットの段数を増やしても、１本のクロック信号ラインで多数の給紙ユニット２ａ，２ｂをアドレス指定することが可能になる。これにより、給紙ユニット２ａ，２ｂ…などのオプション機器を増やしても、信号線数やコネクタのピン数を増加させることなく、コストを低減できる。
【００４７】
なお、上述の実施形態では、各給紙ユニット２ａ，２ｂにアドレスを割付けるために分周回路２３ａ，２３ｂを用いるようにしたが、これに限ることなく、逓倍回路を用いて周波数を高めて次段に出力するようにしてもよい。次段のオプション機器では入力された周波数信号の周波数と逓倍した周波数との逓倍比をアドレス情報として記憶するようにすればよい。さらに、分周回路に代えてクロック信号を任意の周波数に変換するものであってもよい。
【００４８】
また、上述の実施形態は、各オプション機器２ａ，２ｂを積層して配置するようにしたが、これに限ることなく、横方向に配置したり、あるいは積層するとともに横方向に配置してもよい。
【００４９】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【図面の簡単な説明】
【００５０】
【図１】この発明の一実施形態における画像形成装置の本体と給紙ユニットの概略の構成を示す図である。
【図２】この発明の一実施形態における画像処理装置によって給紙ユニットにアドレス割付を行うとともに本体との間で通信を行う制御回路の回路図である。
【図３】各給紙ユニットの段数と割当てられた周波数との関係を示す図である。
【図４】この発明の一実施形態の動作を説明するためのフローチャートである。
【符号の説明】
【００５１】
１  本体、２ａ，２ｂ  給紙ユニット、１０，２２ａ，２２ｂ  ＣＰＵ、１１，２１ａ，２１ｂ  メモリ、２３ａ，２３ｂ  分周回路、２４ａ，２４ｂ  ＮＡＮＤゲート、２５ａ，２５ｂ，２７ａ，２７ｂ  ＡＮＤゲート、２６ａ，２６ｂ  ＯＲゲート、２８ａ，２８ｂ  バッファ、３０  クロック信号ライン、３１  ＳＩライン、３２  ＳＯライン、３３  ＳＣＬＫライン、３４  Ｒｅａｄｙライン。
【図１】
2005239393.tif 000003
【図２】
2005239393.tif 000004
【図３】
2005239393.tif 000005
【図４】
2005239393.tif 000006